(57)【特許請求の範囲】
【請求項１】
複数の種々の印刷物の構成部分を編集することによってそれぞれが生産される種々の形式の印刷物の実質的に連続的な所定の産出シーケンスを生じる方法において、
それぞれが１つの形式の印刷物の構成部分を収容する複数の貯蔵ユニット（５０）からそれら構成部分を選択的に引き継ぐことによってそれら構成部分の少なくとも１つのほぼ連続的な供給流れを形成することと、
その少なくとも１つの供給流れを編集場所（８０，８０′）へ供給してその供給流れ内の構成部分を印刷物に編集することと、
印刷物の種々の構成部分が、産出すべき印刷物の所定の産出シーケンスと編集場所の配列とによって定められる予備シーケンスで前記供給流れ内に配置されるように、前記貯蔵ユニット（５０）からの前記構成部分の前記供給流れへの引き継ぎを制御することと、
を含むことを特徴とする方法。
【請求項２】
請求項１に記載された方法において、前記少なくとも１つの供給流れの移動方向へ連続的かつ等距離に配列された複数の駆動ピン（６０）が貯蔵ユニット（５０）の列と平行に搬送され、これら駆動ピン（６０）が、予め決定されたサイクル内に前記印刷物の構成部分のそれぞれを該貯蔵ユニット（５０）から取り出すように制御されることを特徴とする方法。
【請求項３】
請求項１または請求項２に記載された方法において、前記供給流れが複数形成されて、それら供給流れが前記編集場所（８０）へ供給され、該編集場所（８０）の複数の供給源（８１ないし８６）が、該編集場所（８０）に形成された印刷物へ、複数の前記供給流れからの予め定められた印刷物の構成部分を付加し、その後構成部分を付加された印刷物が前記編集場所の出口（９０）へ送られることを特徴とする方法。
【請求項４】
請求項１または請求項２に記載された方法において、前記編集場所（８０′）に形成された印刷物に、その編集場所の少なくとも１個の供給源が、前記供給流れ内の印刷物の構成部分を付加することと、そのようにして構成部分を付加された印刷物が前記少なくとも１個の供給源に戻されることと、印刷物が所定の構成部分を備えたときに前記編集場所から排出されることとを特徴とする方法。
【請求項５】
請求項４に記載された方法において、少なくとも１個の更なる供給源を通して供給流れから印刷物の構成部分が排出された後に、少なくとも１個の更なる印刷物の構成部分が排出された印刷物に付加されることを特徴とする方法。
【請求項６】
請求項１から請求項５までの何れか１項に記載された方法において、前記印刷物の構成部分が、サドル状集収要素上に配置されて印刷物を形成すべく、前記編集場所（８０，８０′）に集収されることを特徴とする方法。
【請求項７】
請求項１から請求項５までの何れか１項に記載された方法において、前記編集場所（８０，８０′）の印刷物の構成部分が、折り畳まれた主要な印刷物の構成部分内の挿入区画へ挿入され、またはスタック内へ集められることを特徴とする方法。
【請求項８】
請求項１から請求項７までの何れか１項に記載された方法において、１つの供給流れに対する少なくとも１個の供給源に加えて、類似の印刷物の構成部分に対する少なくとも１個の供給源が存在することを特徴とする方法。
【請求項９】
請求項１から請求項８までの何れか１項に記載された方法において、産出シーケンスの印刷物、または前記少なくとも１つの供給流れの印刷物の構成部分が、産出シーケンスまたは予備シーケンスにおける構成部分の位置に対応して個々に記載されることを特徴とする方法。
【請求項１０】
請求項１から請求項９までの何れか１項に記載された方法において、編集された印刷物の構成部分が、縫合または接着により、前記編集場所からの出口の近辺で接合されることを特徴とする方法。
【発明の詳細な説明】
【０００１】
【発明の属する技術分野】
本発明は印刷物を更に処理する分野にあり、種々の印刷物の構成部分から印刷物を連続生産するための、即ち印刷された種々のシートまたはページから、例えば雑誌、パンフレット等のような印刷物を生産するための、独立クレイムの前文による方法に関するものである。
【０００２】
【従来の技術】
従来の技術によれば印刷物の構成部分から印刷物が生産され、その場合、種々の印刷物の構成部分が一緒に集められるか、または編集され、選択的には相互連結される。折り畳んだ印刷物の構成部分（シート）の場合、編集は通常、例えば各種供給源を通って移動されるサドル状集収要素へ折り畳んだシートを集収することによって生起し、各供給源において、更なるシートがサドル状集収要素上に開かれ、置かれる。印刷物の全ての印刷物の構成部分が集収されると、それらは、完成品を形成すべく、例えば一緒に中央にとじられる。
【０００３】
印刷物の構成部分はまた、折り畳んだ主印刷物の構成部分内への挿入によって編集することもできるが、挿入される印刷物の構成部分は、折り畳まれるか、折り畳まれないか、の何れかである。また、印刷物の構成部分を、それらをスタックへ照合し次いで、各々の場合に印刷物の構成部分の一方の縁、例えば重なった縁を接着して接合することにより処置することも可能である。
【０００４】
印刷物の構成部分を編集する高性能処理加工（集収、挿入または照合）についての従来技術によれば、例えば複数のサドル状集収要素または複数の挿入区画を有し、かつ種々の製品部分の供給源を備えたドラムまたは回転システムが使用される。毎時約４００００部の生産量を以て１形式の印刷物が生産され、印刷物の各々が同じ複数の印刷物の構成部分を包有し、それにより極めて多数の、これらの類似製品が生産される。次いで供給源に種々の形式の印刷物の構成部分が装入され、種々の形式の印刷物が生産され、都合良くいけば、再びそれらの最大数量が生産される。得られた印刷物は形式に応じて個々に中間的に貯蔵され、次いでそれらは発送の目的で選択的に組み合わされて不揃いな数の雑多な印刷物を包含する混合発送ユニットを形成する。
【０００５】
雑多な印刷物が言わば同時に生産され、直ちに、即ち中間貯蔵なしに、種々の形式の印刷物の予め決定されたシーケンス（手順）の形態で生産ラインから直接に移動されれば、それは単純化を意味し、雑多な印刷物の産出シーケンスは例えば必要な発送ユニットの編集に対応し、換言すれば「事後経路修正」を意味する。この種の予め決定された産出シーケンスから成る生産によれば、中間またはバッファー貯蔵に関連する全ての印刷物処理を回避することが可能となる。
【０００６】
種々の印刷物の構成部分からの印刷物の生産のための上述の方法によれば、予め決定された「事後経路修正」産出シーケンスから成る連続生産が可能となり、予め決定された産出シーケンス内に包有されるべき各製品形式のために印刷物の構成部分を編集する装置、例えば集収および縫合ドラムがあり、また各種ドラムからの出口がバッファー装置により接合場所へ導かれれば、そこで、種々のバッファー装置からの印刷物の対応的な除去により、予め決定された産出シーケンスが生成される。この種の排列により雑多な印刷物の予め決定された産出シーケンスの生成が可能となるが、接地費用が極めて高く、特に極めて異なる要求を伴う印刷物形式の場合、設置の一部は極めて限定された範囲までしか利用されない。しかし、各印刷物形式を生産する装置は、前記生産態様に対して充分に装備されていなければならない。
【０００７】
本出願人のＥＰ５１１１５９またはＵＳＡ８７０８３７（Ｆ３０６）には、種々の印刷物の構成部分を一緒に集めることにより、いわゆる特徴化された製品を生産する方法および装置が記載されており、高性能生産については、編集する目的でドラムまたは回転システムが再度使用されている。この方法は本質的に、ドラムへの供給が生産される個々の製品の関数として、生産される印刷物に対応してそれらが付加され若しくは付加されないように制御できる、という事実に基づいている。その場合、いわゆる特徴化された印刷物は本質的に、変更し得ないシーケンス内へ一緒に接合された複数の印刷物の構成部分で構成されているが、前記シーケンス内では、個々の印刷物の構成部分や更に完全な印刷物の構成部分が欠如することもあり得る。
【０００８】
ＥＰ５１１１５９またはＵＳＡ８７０８３７（Ｆ３０６）と類似し、またはそこに記載されている装置が対応的な長さで作られ、換言すれば対応的な数の供給源を備えていれば、特定の印刷物形式に属する印刷物の構成部分に対し各々の場合に１群の供給源が備えられ、またシーケンス内の特定の印刷物の生産のための特定の製品に必要な印刷物の構成部分を送出する供給源のみが作用し、対応サイクル内の他の供給源により印刷物の構成部分が全く供給されないので、それと共に雑多な印刷物の予定された「事後経路修正」産出シーケンスを生成することが可能である。この種の排列によっても、公告に記載の如く、生産される印刷物の特徴化が可能であり、全システムが単一システムの時間サイクルに依存するため、制御は依然比較的に簡単である。
【０００９】
予め決定された産出シーケンス内に存在する各印刷物形式の完全な生産装置を有する最初に述べたシステムに比し、収集区間の延長部を備えたシステムは、供給源のシーケンスの対応的な選択により、幾つかの印刷物形式内にある同じ印刷物の構成部分に対する幾つかの供給源を回避できる、という利点をもたらす。
【００１０】
しかし既述の周知のシステムの双方は本質的に同じ不都合な状態、即ち、少なくとも部分的にわずかしか利用されない空間と投資が集中した設備、に遭遇している。
【００１１】
【発明が解決しようとする課題】
本発明の課題は、各々の場合に複数の種々の印刷物の構成部分を編集（集収、挿入または照合）することにより、種々の形式または雑多な印刷物の、予め決定された産出シーケンスを連続的な様態で生成することを可能にさせる方法をもたらすことである。種々の印刷物形式は数により、また印刷物の構成部分の特質によって異なる可能性はあるが、種々の場所または種々の順序で随意に、少なくとも部分的に同じ印刷物の構成部分を有することができる。完全な方法は単一の処理調時サイクルに従い得なければならない。本発明による方法は、周知され、かつ印刷物の更なる処理においてそれ自体で立証した装置を広く使用することを可能にしなければならない。本発明による方法を遂行する全設備は、より少ない空間を使用すべきであり、用いられる装置は、設定された課題を解決するために周知のシステム（上記参照）におけるよりも更によく利用されなければならない。それはまた、予め決定された産出シーケンスの印刷物が種々の形式であるのみならず特徴化可能であり、換言すれば個々の記載および／または印刷物の構成部分を包含する宛先指定シーケンスに従ってもたらされ得るように本発明の方法を拡張することが簡単でなければならない。しかし逆に、本発明による方法をそのように単純化するためには、特定の１形式の（特徴化または非特徴化をされた）印刷物のみをそれと共に生産し得ることも容易に可能でなければならない。
【００１２】
この課題は、クレイムに定義された方法により解決される。
【００１３】
【課題を解決するための手段】
本発明による方法は、本質的に２段階で構成される。第１段階においては、個々の、種々の印刷物の構成部分の少なくとも１つのほぼ連続的な供給流れが生産される。この、印刷物の構成部分の少なくとも１つの供給流れは第２処理段階、即ち各々の場合における複数の印刷物の構成部分の編集、へ連続的に供給される。これは第３段階によって追従することができ、編集された印刷物の構成部分はそこで、例えば縫合または接着により一緒に接合される。第１処理段階で生産された個々の、種々の印刷物の構成部分の少なくとも１つの供給流れには、予め決定された産出シーケンスにより、かつ第２処理段階によって画定された予備シーケンス内の種々の印刷物の構成部分が包有されている。
【００１４】
各々の場合に同じ形式の複数の印刷物の構成部分を包有する供給ユニットが１列に用意され、搬送方向の継続的な複数の駆動ピンが前記列と平行に列の一方の端部から編集区間または場所へ導かれ、また、供給ユニットと結合された駆動ピンおよび／または対応的な移動装置が、調時された様態でしかも必要な予備シーケンスに従って、個々の印刷物の構成部分が駆動ピンによって供給ユニットから運び去られて必要な予備シーケンス内の編集場所へ供給されるので、個々の、種々の印刷物の構成部分の少なくとも１つの供給流れが生産される。
【００１５】
雑多な印刷物の予め決定された産出シーケンスを生成する、本発明による方法と上記の周知の方法との間の差異は、本発明による方法においては印刷物の構成部分が産出シーケンスに対応する予備シーケンス内に配置されるが、周知の方法においては、完成品（各印刷物形式に対する編集装置）のみが産出シーケンスへ配置され、または編集（対応的な数の供給源を備えた編集装置）中に産出シーケンスの生成が生起する、ということである。
【００１６】
本発明による方法を、添付図面に例示された方法の変更態様に関連して、以下に更に詳細に説明する。
【００１７】
【発明の実施の形態】
図１には、雑多な印刷物の構成部分（シート、ページ等）からの、必要な予備シーケンス（手順）における個々の雑多な印刷物の構成部分の実質的に連続的な供給流れを生成することから成る、本発明による方法の第１の処理段階のシーケンスが図式的に示されている。図１には、形式Ａ，Ｂ，Ｃ，Ｄ，ＥおよびＦの印刷物の構成部分に対する６組の貯蔵ユニットからの印刷物の構成部分Ａ−Ａ−Ａ−Ｄ−Ｂ−Ｅ−Ｆ−／−Ｆ−Ｄ−Ｅ−Ｆの予備シーケンスの生成が、図１(a) から図１(g) までの７段階で示されている（／は、シーケンスにおけるギャップを示す）。各々の場合、図１(a) から図１(g) までの隣接する２段階の間には常に同一時間が存在し、従って諸段階が時計時刻順を表わしている。
【００１８】
各々の場合、印刷物の構成部分のＡからＦまでの１形式に対し、貯蔵ユニット５０がランダムな順序で１列に配置される。搬送方向Ｆへ継続的にかつ等距離に配置された駆動ピン６０（等距離駆動ピン６０）は、各サイクル毎に、各々の場合に１組の駆動ピン６０により各貯蔵ユニット５０から１組の印刷物の構成部分が引き継ぎされる（矢印７０）ようにして、それらが調時された態様の位置をとるよう、貯蔵ユニットの前記列と平行に搬送される。図１に示す態様においては、駆動ピン６０間と同じ間隔が貯蔵ユニット５０間に設けられているので、これには例えば、この間隔または距離にわたって搬送されるためにピンが必要とする時間に対応する調時サイクルを付与することができる。しかし、貯蔵ユニット５０間の間隔に対し駆動ピン６０間の間隔の統合的な倍量を示すことも可能である。個々の貯蔵ユニット５０間隔が同一である必要はない。
【００１９】
貯蔵ユニット５０の列を通過した後、駆動ピン６０は、編集もしくは収集場所または区間の供給場所へ搬送され、そこから、図１に示されていない貯蔵ユニットの列の出発点へ都合良く再び後退させられる。駆動ピン６０は、搬送方向へ、最も遠い前部貯蔵ユニットからランダムに連続して番号を付される。
【００２０】
予備シーケンスを生成するため、駆動ピンによる個々の印刷物の構成部分の調時されたテークオーバ（引き継ぎ）や受け入れは、ピンが特定の貯蔵ユニットの近辺に位置し、そこからそれが予備シーケンスに従って印刷物の構成部分を送ることになっていれば常にテークオーバや受け入れが生起するようにして制御されるが、１つのサイクルでは、精々貯蔵ユニットがある限りのテークオーバしか存在しない。予備シーケンスＡ−Ａ−Ａ−Ｄ−Ｂ−Ｅ−Ｆ−／−Ｆ−Ｄ−Ｅ−Ｆを生成する提示され、例示された事例の場合、これは例えば、図１(a) のサイクル(a) の駆動ピン１、４、図１(b) のサイクル(b) の２、６、７等にあてはまる。テークオーバを制御するため、貯蔵ユニットと結合された駆動ピンおよび／または移動装置が制御される。
【００２１】
予備シーケンスにおいては、図１の例示された予備シーケンスの８番目の位置（−／−）に表示される如く、ギャップを設けることも明らかに可能である。
【００２２】
第１の処理段階を遂行する装置は、例えば、制御可能なグリッパをそこへ等距離に固定したエンドレス・チェーンおよびグリッパの近辺に配置されたスタック状貯蔵ユニットである。印刷物の構成部分の引き継ぎのため、対応的なスタックからの印刷物の構成部分がグリッパに把持され、前記印刷物の構成部分は、貯蔵ユニットに結合された移動装置により、都合のいいことに予め、少なくとも部分的にスタックから分離されている。
【００２３】
第１の処理装置を遂行する目的で、積重ね可能な貯蔵ユニットおよびその下を移動される、列の形態に配置された区画を備えることも考えられる。次いでスタックの底部からの引き継ぎのために印刷物の構成部分が分離され、それが、都合のいいことに対応的に導かれる態様で重力で区画内に落下する。
【００２４】
図１に関連する説明に従って生成された、予め決定された予備シーケンスによる種々の印刷物の構成部分の供給流れはここで、本発明に従い編集段階へ供給される。この編集段階は、駆動ピンが１つのサイクルにおいても最も遠い前部貯蔵ユニットの近傍を通過し、次のサイクルにおいてその印刷物の構成部分を編集または収集場所へ移送するようにして、下流の、前記の最も遠い前部貯蔵ユニットへ直接に追従することができる。しかし、最も遠い前部貯蔵ユニットと収集場所内への供給源との間には、ランダムな数の完全サイクルに対応する長さの搬送場所も存在できる。
【００２５】
図２には、６個の異なる印刷物形式ＡからＦまでから成る予め決定された産出シーケンスを生成する、本発明による方法の例示処理の変更態様が示されており、各印刷物には、６個の印刷物の構成部分（Ａ１からＡ６、Ｂ１からＢ６等）または６個の印刷物の構成部分の最大量が含まれている。
【００２６】
図２には、貯蔵ユニット５０の６個の列５１から５６までが示されており、そこから駆動ピン６０の６個の群６１から６６までにより、即ち図１に関連して述べた態様で生成された予備シーケンスで、編集場所８０の６個の供給源８１から８６までへ印刷物の構成部分が搬送される。図面を単純化するため、貯蔵ユニット５０は、駆動ピン６０の搬送経路上へ単純に接続しているように示されている。６個の供給源へ供給された予備シーケンスの各々は、完成品における製品部分のシーケンスまたは順序で同じ位置をとる各印刷物形式の印刷物の構成部分で構成される。集収された印刷物の構成部分の場合、これは、例えば、完成品の最も外側の部分に該当する印刷物の構成部分Ａ１からＦ１までをピン群６１が供給し、最も内側の部分Ａ６からＦ６までを列６６が供給することを意味する。
【００２７】
図２に従った処理により（図１のシーケンスに基づいて）生成される製品形式ＡからＦ（Ａ１２３４５６からＦ１２３４３５６）の製品Ｐ．１ないしＰ．１１の例示された産出シーケンスはＡ−Ａ−Ａ−Ｄ−Ｂ−Ｅ−Ｆ−Ａ−Ｆ−Ｄ−Ｅ−Ｆである。供給源に必要な予備シーケンスは、予め決定された産出シーケンス、および編集場所内の対応的な供給源の位置から計算される。印刷物の構成部分が供給されるべきクロックサイクル数は、対応的な供給場所と編集場所の出口との間の距離（サイクル）を対応的な完成品の出口のサイクル数から減じることによって得られる。例えば、産出シーケンスの第１製品のＰ．１（Ａ１２３４５６）は、サイクルｘ内の収集場所の出口９０の外へと通過する。次いで、例えば前記製品Ｐ．１に対しては、サイクルｘ−６内の駆動ピン群６６により印刷物の構成部分Ａ６を供給しなければならない。サイクルｘ＋３内を通過する産出シーケンスの第４製品Ｐ．４（Ｄ１２３４５６）に対しては、サイクルｘ−３において対応的な印刷物の構成部分Ｄ６を供給しなければならない。
【００２８】
潜在的製品の印刷物の構成部分は、図２に示す予備シーケンス内の１点鎖線により、種々の供給源へ一緒に接合されている。
【００２９】
特定の印刷物の構成部分が駆動ピンによって貯蔵ユニットから引き継ぎされるサイクル（引き継ぎサイクル）の数は、供給場所の特定の貯蔵ユニット間の間隔（サイクルにおける）を供給サイクルの数から減じ、または貯蔵ユニットと出口との間の間隔（サイクルにおける）を出口サイクルの数から減じることにより計算される。印刷物の構成部分Ａ６またはＤ６の貯蔵ユニットは、出口９０から６サイクル離れた供給源８６から１０または１３サイクルだけ移動される。前述の印刷物Ｐ．１（Ａ１２３４５６、出口サイクルｘ）の印刷物の構成部分Ａ６または印刷物Ｐ．４（Ｄ１２３４５６、出口サイクルｘ＋３）のＤ６はその結果、駆動ピンにより、サイクルｘ−６−１０（もしくはｘ−１６）またはｘ−３−１３（もしくはｘ＋３−１９）、即ち双方共サイクルｘ−１６に引き継ぎされる。このサイクル（ｘ−１６）は明らかにサイクルａとして図１に表示され、図２はサイクルｘの表示である。
【００３０】
編集または収集場所８０には印刷物の予定された産出シーケンスが設けられ、サイクル毎に１つの印刷物が排出される。
【００３１】
印刷物形式が可能な最大値未満の、例えば６個の印刷物の構成部分で構成されていれば、対応的な貯蔵ユニットは供給されない。印刷物の特徴化は、図２による処理においては、ある印刷物において、ある印刷物の構成部分が欠如し得る程度まで可能である（例えば、印刷物Ｐ．８内の印刷物の構成部分Ａ６、これは図１では予備シーケンスのギャップに対応する）。この種の特徴化に対し、付加的な制御は全く不要である。単に群６６の駆動ピン１の場合、印刷物Ｐ．８の制御に移送は全く包含されていない。
【００３２】
印刷物Ａ１２３４５６からＦ１２３４５６までの生産は図２に示す処理の変更態様の例示的な用法であり、この生産のため、同じ予備シーケンスが各供給源毎に生成され、単に１〜６サイクルで置換される。個々の供給源に対する種々の予備シーケンスを生成することにより、明らかに、同じ処理の変更態様が混合製品、即ち種々の形式の印刷物の構成部分（Ａ〜Ｆ）を有する印刷物を生産することもできる。
【００３３】
図３には、対応的なカバー・シートにより区域化され、挿入物や補足物の有無により特徴化された印刷物を生産する、本発明による方法の別の変更態様が示されている。この方法にはまた再び、例えば集収ドラムの形態の編集場所８０が用いられている。この編集場所は、駆動ピンの群６１ないし６４により印刷物の構成部分を供給される４個の供給源８１から８４までを有する。図１に関連して説明した如く、印刷物の構成部分Ｒ１からＲ７までの貯蔵ユニットの列５１に沿う制御された引き継ぎのために駆動ピンの群６１が導かれる故に生産された、個々の、種々の印刷物の構成部分Ｒ１からＲ７まで（例えば区域化されたカバー・シート）の供給流れを、供給源８１のみが予備シーケンス内で供給される。供給源８２および８４に対し周知の態様で類似の印刷物の構成部分（Ｑ１およびＱ２）が、また供給源８３に対し周知の態様で、製品（アドレス）の機能として付加され、または付加されない補足物Ｋが供給される。図３に表示されている処理の産出シーケンスには印刷物が含まれており、それらは全て、対応的なカバー・シートＲにより区域化され、かつ省略することも可能な補足物により特徴化された内部シートＱ１およびＱ２を備えている。
【００３４】
図３による処理で生産される印刷物は、例えば場所１００において個々に宛先指定することができる。補足物Ｋはまた更に、同じ宛先または宛先に関連するメッセージにより特徴化することもできるが、それは、宛先指定点１００から１５サイクルあり、宛先指定よりも１５サイクル早い点１０１で前記メッセージが対応的に記載されるためである。
【００３５】
図４には、各々の場合に複数の種々の印刷物の構成部分を編集することにより生産される印刷物の、予め決定された産出シーケンスを生成する、本発明による方法の更なる変更態様が示されている。この処理加工の変更態様においては、第１処理段階（図１）に従って生成された、唯一の必要な予備シーケンスが編集段階へ供給され、印刷物は、供給源へ何回も戻される編集段階で生成される。各復帰の間に更なる印刷物の構成部分が付加される。印刷物が所要数の印刷物の構成部分を得た場合、それは出口で編集段階から排出される。
【００３６】
処理を再度遂行するために、貯蔵ユニットの列５１と、前記列に役立つ駆動ピンの群６１とがある。閉鎖され、出口９０′として出口デフレクタを有する編集場所８０′の供給源８１へ、駆動ピンが印刷物の構成部分を搬送する。貯蔵ユニット列５１は、予め決定された産出シーケンス内に存在する全ての形式の全ての印刷物の構成部分の貯蔵ユニットで構成される。得られた印刷物は、それが全ての所要部分を得るに必要な回数だけ供給源に戻されるので、印刷物の構成部分は印刷物を形成するように編集される。個々の単一製品に属する印刷物の構成部分は、編集場所での回転に要すると同じクロック数まで、予備シーケンス内で互いに移動される。
【００３７】
所与の印刷物の構成部分に対する引き継ぎサイクル数は、供給源と出口との間の距離（サイクル）および供給源と貯蔵ユニットとの間の距離（サイクル）ならびに各々の更なる印刷物の構成部分に対する収集部分の範囲（サイクル）を産出サイクル数から減じることにより計算される。図面においては、丁度２回目に供給源を通った産出シーケンスの１１番目の印刷物の印刷物の構成部分（Ｅ１２３４）が２点鎖線で連結されている。
【００３８】
図４には、産出シーケンスＡ−Ａ−Ａ−Ｄ−Ｂ−Ｅ−Ｆ−Ａ−Ｆ−Ｄ−Ｅ−Ｆが示されており、各印刷物が４個の印刷物の構成部分（Ａ１からＡ４、Ｂ１からＢ４等）で構成されている。クロック数表示の場合、シーケンスの第１製品はサイクルｘの出口９０′に出現するので、図面はサイクルｘ＋７という表示である。図４による処理の場合、印刷物がサイクル毎に排出され得ないことは明白である。（１１ないし１２番目の製品Ｆ−Ａ−Ｆ−Ｄ−Ｅ−Ｆが完成されて出口へ搬送される）サイクルｘ＋６ないしｘ＋２５においては印刷物が全く排出されない。単一供給源による処理の変更態様の平均能力は印刷物内の印刷物の構成部分の数に依存し、サイクル数当たり１印刷物であり、これは印刷物当たりの平均印刷物の構成部分数に相当する。
【００３９】
図４の処理の利点は、印刷物の構成部分の形式毎に単一貯蔵ユニットのみにより、ランダムな数の印刷物の構成部分と、ランダムな数の同一の印刷物の構成部分と、ランダムな順序の印刷物の構成部分とを以て印刷物のランダムな産出シーケンスを生成し得ることである。この処理の変更態様においては、処理区間からの出口９０′に続いて個々に記載する、例えば対応的な場所１００内の印刷物を宛名指定することも可能である。
【００４０】
図５には、図４による処理の延長部が示されており、閉鎖された編集場所に対して２個の供給源が存在している。この処理の変更態様は、同じ産出シーケンスについて、図４の変更態様におけると同数の印刷物を２回排出することを可能にさせる。図５に示す生産例は、図４におけると同じ産出シーケンス（Ａ−Ａ−Ａ−Ｄ−Ｂ−Ｅ−Ｆ−Ａ−Ｆ−Ｄ−Ｅ−Ｆ）に関するものである。２つの図面の比較は、各々の場合、必要な印刷物の構成部分を２個の供給源８１および８２へ交互に、即ちＡ１とＡ３からＦ１までとＦ３とを供給源８１へ、またＡ２とＡ４からＦ２までとＦ４とを供給源８２へ供給しなければならないことを示している。他の全ての点において、他の諸図面に関連してなされた表示事項は図５にも適合し、従って、それについてのそれ以上のいかなる説明も不要である。
【００４１】
図２および図４または図５の処理の変更態様を組み合わせることにより、産出シーケンスの大半の印刷物が有する印刷物の構成部分と同数の供給源を有する閉鎖された編集場所と共に１つの変更態様が考えられる。印刷物の大部分は１度しか編集場所を通過せず、第２の通過は、供給源がある場合よりも多くの印刷物の構成部分を有する少数の印刷物に対してのみ提供されなければならない。閉鎖された編集場所を、その出口に連接する更なる編集場所と組み合わせることも考えられる。本発明による方法のこの種の変更態様と共に、矢張り、予め決定された産出シーケンスにおける、極めて大きく異なる印刷物形式の出現の場合にも、必要な諸装置は依然、極めて均等に利用される。
【図面の簡単な説明】
【図１】予め決定された予備シーケンスにおける、個々の雑多な印刷物の構成部分から成る連続的な供給流れを生産する第１処理段階の線図(a) 〜(g) を示す図。
【図２】各々の場合、６個の印刷物の構成部分の最大のもので構成される、雑多な印刷物の予め決定された産出シーケンスを生成する雑多な印刷物の構成部分の６組の供給流れを備えた、本発明による方法の例示された処理の変更態様を示す図。
【図３】例えば区域化され且つ特徴化された印刷物の予め決定された産出シーケンスを生成する種々の印刷物の構成部分の供給流れを備えた、本発明による方法の更に例示された処理の変更態様を示す図。
【図４】種々の印刷物の構成部分の供給流れを備え、かつランダムな製品の産出シーケンスを生成するための、得られた印刷物の供給源への復帰を伴った、本発明による方法の更なる処理の変更態様を示す図。
【図５】図４の変更態様と類似しながら、種々の印刷物の構成部分の２組の供給流れを備えた、本発明による方法の更なる処理の変更態様を示す図。
【符号の説明】
５０  貯蔵ユニット
６０  駆動ピン
７０  テークオーバ（引き継ぎ）
８０′  編集場所
８０  編集場所
８１  編集場所
８２  編集場所
８３  編集場所
８４  編集場所
８５  編集場所
８６  編集場所
９０  出口
【図１】
0003713310.tif 000002
【図２】
0003713310.tif 000003
【図３】
0003713310.tif 000004
【図４】
0003713310.tif 000005
【図５】
0003713310.tif 000006